(57)【特許請求の範囲】
【請求項１】
内刃に対応する外刃とこの外刃が装着される外刃枠とからなる刃カセットを内刃往復動方向と直交する方向に複数列配置し、各刃カセットを保持部材によりフロート自在に支持してなる往復式電気かみそりであって、いずれか１の刃カセットが、保持部材に対して上下動自在に保持されると共にこの保持部材を介して本体に固定される外刃フレームに取り付けられるネット刃カセットで構成され、このネット刃カセットは、外刃が取り付けられる外刃枠と、外刃枠を係止するフロート支持枠とを備えると共に、フロート支持枠及び外刃枠の内刃往復動方向の両端に、それぞれ、保持部材の外側壁をまたぐ状態で配設される外壁部と内壁部とからなる二重壁が設けられていることを特徴とする往復式電気かみそり。
【請求項２】
両端の二重壁は、内壁部と外壁部とをつなぐ連結壁をそれぞれ備えており、この連結壁は刃カセット同士が隣合う側面には設けられていないことを特徴とする請求項１記載の往復式電気かみそり。
【請求項３】
外側に位置する刃カセットの内刃往復動方向の両端及び外側面にそれぞれ二重壁が設けられていることを特徴とする請求項１記載の往復式電気かみそり。
【請求項４】
各刃カセットの内刃が互いに反対方向に駆動され、保持部材の片側の一側壁においてすべての刃カセットを保持して成ることを特徴とする請求項１記載の往復式電気かみそり。
【請求項５】
２つのネット刃間にスリット刃を配置した３ヘッド構造を有する刃カセットにおいて、ネット刃と隣合うスリット外刃の側面にネット刃を構成する外刃と外刃枠とを固定するためのヒートシール突部に対応する切り欠きを設けたことを特徴とする請求項１記載の往復式電気かみそり。
【請求項６】
ネット刃カセットを、外刃を係止する内側部材と、内側部材を係止する外側部材とに分離し、外側部材を内側部材の下側から嵌め込み自在とすると共に、嵌め込み状態で外側部材と内側部材とを互いに係合させる係合手段を設けたことを特徴とする請求項１記載の往復式電気かみそり。
【請求項７】
肌伸ばし部材を内側部材と外側部材との間に配置し、外側部材の壁面から内側に突設させた突起部を肌伸ばし部材に設けた孔部に係合させて成ることを特徴とする請求項６記載往復式電気かみそり。
【請求項８】
保持部材の内刃往復動方向の端部壁の内側に横方向に延びる突出部を設けて成ることを特徴とする請求項１記載の往復式電気かみそり。
【請求項９】
外刃枠の内刃往復動方向の端部上面にエラストマ−からなる肌伸ばし部材を設けたことを特徴とする請求項１記載の往復式電気かみそり。
【発明の詳細な説明】
【０００１】
【発明の属する技術分野】
本発明は、往復式電気かみそりに関し、詳しくは外刃を外刃枠に装着した刃カセットを複数並列に配置すると共に、各刃カセットを本体に対してフロート自在としている往復式電気かみそりに関するものである。
【０００２】
【従来の技術】
外刃を肌に密着させて髭を剃り上げる効率を高くするために、外刃を外刃枠に装着した刃カセットを複数並列に配置すると共に、各刃カセットを本体に対してフロート自在としている往復式電気かみそりが提供されている。
【０００３】
この種の往復式電気かみそりとして、例えば特開平８−３２３０６３号公報に開示されたものにあっては、各刃カセットを保持部材の内側に納めて、この保持部材内で刃カセットのフロート動作が行われるようにしている。
【０００４】
【発明が解決しようとする課題】
ところが、従来の構成であると、各刃カセットは保持部材で保護されることになるため、外刃に対して頑丈になるという利点があるものの、鏡を見ながら髭を剃っている時は、刃カセットは保持部材で覆われていることから、そのフロート状態が見えず、これに伴って、刃カセットにおける外刃を肌に効率良く当てるということが難しいものとなっている。もっとも、上記保持部材と刃カセットとの関係を逆転させて、刃カセットが保持部材に被さった形でフロート動作するようにしたならば、刃カセットの動きが良く見えるものとなる。しかしながら、このようにした場合、刃カセットの内刃往復動方向の端部に髭が多く溜まるために、刃カセットと保持部材との隙間から髭くずが飛び散ってしまうという問題を有している。そのために、刃カセットと保持部材との隙間を小さくすることが考えられるが、隙間を小さくしていった場合には、刃カセットが保持部材に対して斜めにフロートすることができなくなり、肌への追随性が悪くなるために、肌当たりが悪く、剃り残しも多く発生してしまうという問題がある。
【０００５】
本発明は上記の点に鑑みてなされたものであり、その目的とするところは、刃カセットのフロート状態を外部から容易に判別することができ且つ肌当たりを良くできる上に、刃カセットからの髭くずのこぼれを少なくすることができる往復式電気かみそりを提供するにある。
【０００６】
【課題を解決するための手段】
上記課題を解決するために、本発明は、内刃に対応する外刃とこの外刃が装着される外刃枠とからなる刃カセットを内刃往復動方向Ｍと直交する方向に複数列配置し、各刃カセットを保持部材５０によりフロート自在に支持してなる往復式電気かみそりであって、いずれか１の刃カセットが、保持部材５０に対して上下動自在に保持されると共にこの保持部材５０を介して本体９に固定される外刃フレーム６０に取り付けられるネット刃カセット２０で構成され、このネット刃カセット２０は、外刃１２が取り付けられる外刃枠２１と、外刃枠２１を係止するフロート支持枠２２とを備えると共に、フロート支持枠２２及び外刃枠２１の内刃往復動方向の両端に、それぞれ、保持部材５０の外側壁５０ａをまたぐ状態で配設される外壁部２６と内壁部２７とからなる二重壁５が設けられていることを特徴としており、このように構成することで、二重壁５によって剃り時に内刃の駆動により髭くずが溜まる内刃往復動方向Ｍの両端において、髭くずを内側に保持して外側にこぼれないようにすることができると共に、保持部材５０の外側壁５０ａと二重壁５との間に隙間を確保できるので、ネット刃カセット２０のフロートをスムーズにすることができる。さらにネット刃カセット２０の動きが外側から良く見えて肌に適切な状態で接触させることができるものとなる。
【０００７】
また、上記両端の二重壁５は、内壁部２７と外壁部２６とをつなぐ連結壁２８をそれぞれ備えており、この連結壁２８は刃カセット同士が隣合う側面には設けられていないのが好ましく、この場合、連結壁２８によって二重壁５を補強でき、しかも連結壁２８は刃カセット同士が隣り合う面には存在しないために、各刃カセット同士を接近させて刃全体を厚み方向に小さくすることが容易となる。
【０００８】
また、上記外側に位置する刃カセットの内刃往復動方向Ｍの両端及び外側面にそれぞれ二重壁５ｂが設けられているのが好ましく、この場合、保持部材５０の全周において刃カセットが２重壁構造となり、髭くずのこぼれをより防止できる。
【０００９】
また、上記各刃カセットの内刃が互いに反対方向に駆動され、保持部材５０の片側の一側壁においてすべての刃カセットを保持して成るのが好ましく、この場合、内刃駆動による保持部材５０に対する外力が常に逆方向に働き、保持部材５０にかかる力を相殺することができ、騒音防止等が図られる。
【００１０】
また、上記２つのネット刃１１，１１間にスリット刃１を配置した３ヘッド構造を有する刃カセットにおいて、ネット刃１１と隣合うスリット外刃２の側面にネット刃１１を構成する外刃１２と外刃枠２１とを固定するためのヒートシール突部１００に対応する切り欠き８４を設けるのが好ましく、この場合、ヒートシール突部１００が妨げとなることなく、各刃カセットを厚み方向に非常に近接させることができる。
【００１１】
また、上記ネット刃カセット２０を、外刃を係止する内側部材と、内側部材を係止する外側部材とに分離し、外側部材を内側部材の下側から嵌め込み自在とすると共に、嵌め込み状態で外側部材と内側部材とを互いに係合させる係合手段を設けるのが好ましく、この場合、ネット刃カセットが組み立てやすくなり、内刃押上力や外側壁の剥がし外力がかかったときでも破損、分解することなく、強度を十分に確保できる。
【００１２】
また、上記肌伸ばし部材２４を内側部材と外側部材との間に配置し、外側部材の壁面から内側に突設させた突起部２５を肌伸ばし部材２４に設けた孔部８１に係合させるのが好ましく、この場合、肌伸ばし部材２４を外側部材の突起部２５に係合させるだけで、高さ方向に寸法が小さい弾性体からなる肌伸ばし部材２４であっても、形状が変化することなく外側部材と内側部材との間の小スペースに容易且つ確実に保持できるようになる。
【００１３】
また、上記保持部材５０の内刃往復動方向Ｍの端部壁の内側に横方向に延びる突出部１１０を設けるのが好ましく、この場合、横方向に延びる突出部１１０によって内刃往復動方向Ｍ端部の隙間からの髭くずのこぼれをより防止できるようになる。
【００１４】
また、上記外刃枠２１の内刃往復動方向Ｍの端部上面にエラストマ−からなる肌伸ばし部材２４ａを設けるのが好ましく、この場合、外刃枠２１の両端部においても肌伸ばし部材２４ａによってカセットの端部でのゴツゴツ感を和らげて肌当たりが良いものとなると共に、肌伸ばし効果も高められる。
【００１５】
【発明の実施の形態】
以下、本発明の実施形態の一例を説明する。
【００１６】
この往復式電気かみそりは、図３に示すように、本体９の上端に３個の刃ヘッド１０が配設されたもので、これら３個の刃ヘッド１０は、リニアモータ１４によって同時駆動されるものである。図３中の８０はトリマーブロックである。
刃ヘッド１０の基本構造を図１〜図７に基づいて詳述する。
【００１７】
刃ヘッド１０は、図３に示すように、スリット外刃２とこのスリット外刃２の内面に摺接して往復移動する櫛刃状のスリット内刃３とを備えた１個の粗剃り用のスリット刃１と、スリット刃１の両外側に配置され、ネット状の外刃１２とこの外刃１２の内面に摺接して往復移動する内刃１３とを備えた２個のネット刃１１とで構成されている。これらスリット刃１及びネット刃１１はそれぞれ上下にフロート可能となっており、また、摺動動作を行うリニアモータ１４によって、各刃の外刃２，１２に対応する内刃３，１３が各々往復駆動されるようになっている。
【００１８】
図４は刃ヘッド１０の構成を示している。ネット刃カセット２０は、外刃１２が取り付けられる外刃枠２１（内側部材）と、外刃枠２１を係止するフロート支持枠２２（外側部材）とに分離されており、外刃枠２１がフロート支持枠２２の下側から嵌め込み自在となっている。外刃１２と外刃枠２１とはヒートシール突部１００を利用して固着されている。また、フロート支持枠２２には、その内面に下側に延びる突リブ９５が設けられており、外刃枠２１には、その外壁に設けられた横壁９６の中に上記突リブ９５と係合する係合穴９７が設けられ、これら突リブ９５と係合穴９７との係合により係合手段が構成され、内刃押し上げ力やフロート支持枠２２の引き剥がし等の外力が加わった場合にも、破損、分解することなく、刃を保持できるようになっている。また図４に示す実施形態では、外刃枠２１の長手方向の両端部の外面上部に突部９０が設けられ、この突部９０がフロート支持枠２２に設けたガイド溝９２と係合することによって、互いの回転止めを行うものであり、さらに外刃枠２１のフック９３はフロート支持枠２２のフック溝９４と係合することにより、互いの上下方向の抜け止めを行うものである。
【００１９】
また、ネット刃カセット２０における内刃は、図７に示すように、本体９の上端から突出する一対の駆動子７０の上端に上方へバネ付勢された状態で取り付けられ、ネット刃カセット２０を保持部材５０及び外刃フレーム６０を介して本体９に取り付けた時、外刃１２の内面に接するものであり、また本体９が内蔵するリニアモータ１４の往復振動が駆動子７０を介して内刃１３に伝えられる。また、リニアモータ１４から突出する２つの駆動子７０は互いに逆方向に駆動されるようになっており、これにより、駆動時の本体９の振動を相殺できて、防振効果が得られるようにしてある。図７中のＳはスイッチ操作部である。
フロート支持枠２２と外刃枠２１との間には、図４に示す肌を伸ばして髭を起こすための薄肉弾性リブ２３を備えた肌伸ばし部材２４が配置されている。この肌伸ばし部材２４に設けた小孔状の孔部８１にフロート支持枠２２の内面に設けた突起２５を係合させることによって、肌伸ばし部材２４をフロート支持枠２２と外刃枠２１との間に挟み込んだ状態で組み立てられるようになり、非常に小さいスペースに肌伸ばし部材２４を確実に係止できるようになっている。また、フロート支持枠２２の突起２５を小突起形状とすることにより、撓み易い肌伸ばし部材２４全体の形状が突起２５によって変化することなく、組み立て可能となっている。
【００２０】
保持部材５０には、図４、図６に示すように、両側片の上縁からそれぞれ複数のフロートバネ片５２を上方に向けて一体に突出させてある。また、保持部材５０の長手方向の両端壁５３には、上方に開口したスリット孔４８がそれぞれ形成されており、各スリット孔４８内の側壁上部にフック５１が突設されている。また端壁５３の中央の外面上部には縦溝５４が形成され、外面下部にはフック５５を備えた押釦５６が設けられている。さらに、両端壁５３の幅方向中央の内面には縦溝５７を備えたフック片５９が設けられていると共に、フック片５９の下方にバネ受け片５８が設けられている。
【００２１】
ネット刃カセット２０の保持部材５０への装着は、ネット刃カセット２０のフロート支持枠２２と外刃枠２１を一体化したものを保持部材５０に被せて連結壁２８を保持部材５０のスリット孔４８内に位置させることで行う。このとき、ネット刃カセット２０を保持部材５０に装着した状態で、保持部材５０のフック５１は連結壁２８の上方の縦長孔３０に位置し、フロート支持枠２２の突部１６はスリット孔４８の脇のガイド片６１の両面に接する。連結壁２８をスリット孔４８内に位置させると共に、フック５１で連結壁２８の抜け止めがなされて、ネット刃カセット２０は保持部材５０に上下動自在に保持されるものであり、また保持部材５０におけるフロート用バネ片５２が外刃枠２１の下面に接することから、ネット刃力セット２０は上方にバネ付勢されてフロート自在にガイドされるようになっている。
【００２２】
図５はスリット刃カセット３１の構成を示している。スリット外刃２の両端に支持体３２がそれぞれ配置され、支持体３２に設けたヒートシールボス３３にスリット外刃２の係合部３４を取付けた状態で、スリット外刃２に対して支持体３２がそれぞれヒートシール固定されている。両支持体３２の内面側にはバネ受け３５をそれぞれ備えており、外面側には外壁部３６をそれぞれ備えており、外壁部３６の内側に縦リブ２８ａが設けられており、この縦リブ２８ａと内壁部３６ａとの間に保持部材５０の外側壁を挟み込むことにより、内刃往復移動方向の保持を行っている。これら外壁部３６と内壁部３６ａとで保持部材５０の外側壁の両側に配置される二重壁５ａが構成されている。さらに支持体３２の下端には下方に突出する係止部３８、バネ止め３９がそれぞれ設けられている。このスリット刃カセット３１は支持体３２の係止部３８を保持部材５０のフック５９に係合させることで抜け止めがなされると共に、バネ受け３９との間に配された押上げバネ４９によって上方へバネ付勢されているもので、このとき係止部３８が保持部材５０の縦溝５７内をスライドし、また保持部材５０の外側に位置する外壁部３６に設けられた縦リブ２８ａが保持部材５０の縦溝５４内をスライドすることで、スリット刃カセット３１を上下動方向にスライド自在にガイドできるようになっている。このフロートバネ４９は、図２に示すように、下側の径ｒが上側の径Ｒよりも小さくなっており、その下側バネ部４９ａを保持部材５０のバネ受け片５８の穴部２００に係合させることにより下側バネ部４９ａが固定されており、これにより、フロートバネ４９を少ない部品点数で保持できると共に、組み立てやすくなっている。
【００２３】
スリット内刃３は、図５に示すように、ヒートシールボス４５によりスリット継手４１上面にヒートシール固定されている。スリット継手４１は、駆動子７０に付設されたスリット駆動子７０ａ（図７）に連結されており、スリット内刃３にリニアモータ１４の動きが伝達されるようになっている。またスリット継手４１の下端にはバネ受け部４６が設けられ、押上げバネ４７の上端をバネ受け部４６に係合させ、押上げバネ４７の下端を前記スリット外刃２の支持体３２のバネ受け３５に係合させることにより、スリット内刃３がスリット外刃２の内面に摺接して、両刃の摺動面において良好な切れ味が確保されるようになっている。さらに、スリット外刃２の両側面には、前記ネット刃カセット２０を組み立てるためのヒートシール突部１００（図４）に対応する位置に、下方に開口した切り欠き８４が設けられており、この切り欠き８４にヒートシール突部１００を挿入した状態（図３の状態）とすることで、ヒートシール突部１００が妨げとなることなく、各刃カセット２０，３１同士を厚み方向に非常に近接させることが可能となり、これにより鼻下などの細かい部位でも剃りやすく、またスリット刃１の刃先をネット刃１１でカバーできるためにゴツゴツ感がなくなり、肌当たりの良い剃り感覚が得られるものである。
【００２４】
上記保持部材５０は、図６に示す押釦５６の内側に設けたフック５５を外刃フレーム６０の長手方向両端部の溝６５内に設けられた凸部６６に着脱自在に係止させることで、押釦５６を本体９に固定される外刃フレーム６０の両端外面側に位置させた状態で外刃フレーム６０に着脱自在に装着できるようになっている。図１に示すように、外刃フレーム６０の内刃往復動方向Ｍの端部上端６０ａ位置において、保持部材５０を外刃フレーム６０に係合させてある。これは外刃フレーム６０は例えば金属で構成されており、一方、保持部材５０は着脱の弾性を確保するために成型品で構成されているために、保持部材５０の壁は剛性が低く、刃カセット２０，３１を保持する力が弱くなり、極端な場合には切れ味が悪くなる。そこで、金属製の外刃フレーム６０の壁の上端と保持部材５０とを係合させることにより、保持部材５０の壁の剛性を高くすることができ、切れ味を確保することができるようになっている。
【００２５】
次にネット刃カセット２０及びスリット刃カセット３１の長手方向の両端に設けられる二重壁５，５ａについて説明する。図１に示すように、ネット刃カセット２０におけるフロート支持枠２２の長手方向（内刃往復動方向Ｍ）の両端には、それぞれ下方に開口した二重壁５が構成されており、保持部材５０の外側壁５０ａをまたぐ状態で、外壁部２６と内壁部２７とが配設されていると共に、保持部材５０と外壁部２６との間、及び保持部材５０と内壁部２７との間にはそれぞれ隙間ｄが設けられている。さらに、保持部材５０の外側壁５０ａの内面には、内側に横方向に延びるリブ状の突出部１１０が設けてある。一方、図２に示すように、スリット刃カセット３１の長手方向の両端に配設される各支持体３２においても、外壁部３６と内壁部３６ａとから成る下方に開口した二重壁５ａが構成されており、保持部材５０の外側壁５０ａの中央部をまたぐ状態で配設され、保持部材５０と外壁部３６との間、及び保持部材５０と内壁部３６ａとの間にはそれぞれ隙間ｄ´が設けられている。これら二重壁５，５ａ及び突出部１１０によって、スリット刃カセット３１の内刃往復動方向Ｍの両端に溜まった髭くずの外側へのこぼれが防がれている。
【００２６】
さらに、ネット刃カセット２０において、外壁部２６と内壁部２７は、図１、図６に示すように、連結壁２８によってつながっている。この連結壁２８はネット刃カセット２０に設けられていると共に、長手方向両端のうちの一方の連結壁２８側においてのみ、外壁２６と内壁２７とに突部２９がそれぞれ突設されている。連結壁２８の上方には後述する保持部材５０のフック５１が係合する縦長孔３０が設けられている。なお、連結壁２８は刃カセット２０，３１同士が隣合う側面には設けられていない。一方、スリット刃カセット３１の支持体３２においても、外壁部３６と内壁部３６ａとは、連結壁２８ａによってつながっている。なお、これら連結壁２８ａはスリット刃カセット３１の両側面には存在しておらず、これにより刃カセット２０，３１同士を近接配置でき、本体９全体の厚みの薄型化が図られている。
【００２７】
さらに本実施形態では、図３に示すように、両ネット刃カセット２０の短手方向の外側面においても、外刃枠２１とフロート支持枠２２とにより二重壁５ｂがそれぞれ構成されており、保持部材５０の側壁５０ｂをまたぐように組み立てられることによって、刃ヘッドの短手方向の両端面側においても髭くずのこぼれを防止できるようにしてある。
【００２８】
しかして、２つのネット刃１１と、この両者間に配置されたスリット刃１とは、図８及び図９、或いは図１０及び図１１に示すように、それぞれ独立してフロート自在となっており、これにより、髭剃りにあたっては、刃カセット２０，３１を肌に押し当てたときに、各外刃が肌に接する状態を確実に得ることができるものであり、しかも、鏡を見ながら髭を剃るときに、保持部材５０の外側に刃カセットの外面が出ているため、各刃カセット２０，３１のフロート状態を確認することができ、これに伴って各外刃が肌に接するように持ち方などを調節することができる。
【００２９】
このとき、内刃往復動方向Ｍの両端にそれぞれ設けた二重壁５，５ａによって髭くずのこぼれを少なくすることができる。つまり、内刃３，１３の駆動によって刃カセット２０，３１の内刃往復動方向Ｍの端部に髭が多く溜まっても、図１及び図２に示す二重壁５，５ａの存在によって、髭くずを内側に保持して外側にこぼれないようにできるので、剃り時に刃カセット２０，３１と保持部材５０との隙間から髭くずが飛び散って衣服等に付着するような不快感を与えることがないものである。しかも両側のネット刃カセット２０の外側面にも二重壁５ｂ（図３）が設けられているので、保持部材５０の全周において２重壁構造となり、従って、髭くずのこぼれをより防止できるようになる。
【００３０】
また、保持部材５０と二重壁５，５ａとの間に隙間ｄ，ｄ´を確保できるので、刃カセット２０，３１のフロートをスムーズにすることができる。従って、刃カセット２０，３１は保持部材５０に対して斜めにフロートできるようになり、肌への追随性が良くなり、従って、肌当たりを良くすることができ、剃り残しの発生を防止できる。さらに、二重壁５の外壁部２６、二重壁５ａの外壁部３６をそれぞれ保持部材５０の外面側に配置したから、刃カセット２０，３１の動きが外側から良く見えて肌に適切な状態で接触させることができるものとなり、鏡を見ながら髭を剃っている時でも、刃カセット２０，３１のフロート状態を外部から容易に判別することができる。従って、外刃を肌に効率良く当てるということが容易となる。
【００３１】
また本実施形態では、二重壁５，５ａの内部で保持部材５０の端壁が３つの刃カセット２０，３１，２０を横断する形で各刃カセット２０，３１をそれぞれ保持しているので、往復式の多ヘッドとした場合においても、刃全体の厚みを小さくすることができるために、鼻下などの細かい部分を剃るときでも、肌に当て易くなり、使い勝手が向上し、且つ本体９の厚みを小さくして持ち運びがし易くなる。また、保持部材５０は外刃フレーム６０に着脱可能で、しかも内刃往復動の端部において外刃フレーム６０の側壁の上端６０ａ位置で、保持部材５０の側壁が係合しているために、外刃フレーム６０に対する保持部材５０の着脱がしやすくなり、しかも、内刃往復動方向Ｍの刃カセット２０，３１を保持する保持部材５０の壁の剛性を大きく向上できるために、剃り時に外刃がガタつくことなく鋭い切れ味を確保できるものとなる。そのうえリニアモータ１４から突出する２つの駆動子７０は互いに逆方向に駆動されるようにしてあるので、駆動時の本体９の振動を小さくできると共に、図１、図２のように全ての刃カセット２０，３１を保持部材５０の全て同じ側（内刃往復動方向Ｍの一端部の端壁側）の壁で保持しているので、保持部材５０にかかる力を相殺することができるようになり、壁の撓みを小さくして、刃の振動による騒音等をより効果的に防止できるという利点もある。
【００３２】
他の実施形態として、図１２に示すように、外刃枠２１の内刃往復動方向Ｍの端部上面にエラストマーからなる肌伸ばし部材２４ａを設けるようにしてもよい。他の構成は前記実施形態と同様である。この例はフロート支持枠２２の上面にエラストマ−からなる肌伸ばし部材２４ａを一体成形により設けたもので、この肌伸ばし部材２４ａによって肌当たりが良くなり、ネット刃カセット２０の端部でのゴツゴツ感を和らげて肌当たりが良いものとなると共に、剃り時に肌に対して横方向に剃った場合においても肌伸ばし効果が得られ、短く剃り上げることができるものとなる。
【００３３】
【発明の効果】
以上説明したように、本発明のうち請求項１記載の発明は、内刃に対応する外刃とこの外刃が装着される外刃枠とからなる刃カセットを内刃往復動方向と直交する方向に複数列配置し、各刃カセットを保持部材によりフロート自在に支持してなる往復式電気かみそりであって、いずれか１の刃カセットが、保持部材に対して上下動自在に保持されると共にこの保持部材を介して本体に固定される外刃フレームに取り付けられるネット刃カセットで構成され、このネット刃カセットは、外刃が取り付けられる外刃枠と、外刃枠を係止するフロート支持枠とを備えると共に、フロート支持枠及び外刃枠の内刃往復動方向の両端に、それぞれ、保持部材の外側壁をまたぐ状態で配設される外壁部と内壁部とからなる二重壁が設けられているから、二重壁によって剃り時に内刃の駆動により髭くずが溜まる内刃往復動方向の両端において、髭くずを内側に保持して外側にこぼれるのを防止できるので、剃り時に衣服等に付着するような不快感を与えることがなく、また、ネット刃カセットの内刃往復動方向の両端と保持部材との間に隙間を確保できるので、ネット刃カセットのフロートをスムーズにすることができる。さらにネット刃カセットの動きが外側から良く見えて肌に適切な状態で接触させることができるものとなる。
【００３４】
また請求項２記載の発明は、請求項１記載の効果に加えて、両端の二重壁は、内壁部と外壁部とをつなぐ連結壁をそれぞれ備えており、この連結壁は刃カセット同士が隣合う側面には設けられていないから、連結壁によって二重壁を補強でき、且つ連結壁は刃カセット同士が隣り合う面には存在しないために、各刃カセット同士をかなり接近させて刃全体を厚み方向に小さく構成できるために、鼻下など細かい部位においても剃りやすくなり且つ本体の厚みを薄くでき持ち運びにも便利となる。
【００３５】
また請求項３記載の発明は、請求項１記載の効果に加えて、外側に位置する刃カセットの内刃往復動方向の両端及び外側面にそれぞれ二重壁が設けられているから、保持部材の全周において刃カセットが２重壁構造となるため、より髭くずのこぼれを一層防止できる。
【００３６】
また請求項４記載の発明は、請求項１記載の効果に加えて、各刃カセットの内刃が互いに反対方向に駆動され、保持部材の片側の一側壁においてすべての刃カセットを保持して成るから、各刃カセットの内刃が互いに反対方向に駆動するものとし、保持部材の片側の側壁で全てのヘッドを係止するために、内刃駆動による保持部材に対する外力が常に逆方向に働き、保持部材にかかる力を相殺することができるために、保持部材の側壁の撓みを極小にして外刃のがたつきが少なくなり、騒音が少なく、切れ味を良くするものである。
【００３７】
また請求項５記載の発明は、請求項１記載の効果に加えて、２つのネット刃間にスリット刃を配置した３ヘッド構造を有する刃カセットにおいて、ネット刃と隣合うスリット外刃の側面にネット刃を構成する外刃と外刃枠とを固定するためのヒートシール突部に対応する切り欠きを設けたから、ヒートシール突部が妨げとなることなく、各刃カセットを厚み方向に非常に近接させることができるために、鼻下などの細かい部位でも剃りやすく、またスリット刃の刃先がネット刃でカバーできるためにゴツゴツ感がなくなり、肌当たりの良い剃り感覚が得られるものである。
【００３８】
また請求項６記載の発明は、請求項１記載の効果に加えて、ネット刃カセットを、外刃を係止する内側部材と、内側部材を係止する外側部材とに分離し、外側部材を内側部材の下側から嵌め込み自在とすると共に、嵌め込み状態で外側部材と内側部材とを互いに係合させる係合手段を設けたから、ネット刃カセットが組み立てやすくなり、内刃押上力や外側壁の剥がし外力がかかったときでも破損、分解することなく、強度を十分に確保でき、従って、組み立て性を良くしながら、使用時には壊れることがなく、ネット刃を保持できるものである。
【００３９】
また請求項７記載の発明は、請求項６記載の効果に加えて、肌伸ばし部材を内側部材と外側部材との間に配置し、外側部材の壁面から内側に突設させた突起部を肌伸ばし部材に設けた孔部に係合させて成るから、肌伸ばし部材を外側部材の突起部に係合させるだけで、高さ方向に寸法が小さい弾性体からなる肌伸ばし部材であっても、形状が変化することなく外側部材と内側部材との間の小スペースに容易且つ確実に保持することができる。
【００４０】
また請求項８記載の発明は、請求項１記載の効果に加えて、保持部材の内刃往復動方向の端部壁の内側に横方向に延びる突出部を設けたために、内刃往復動方向端部のスキマから髭くずがこぼれるのを防止することができる。
【００４１】
また請求項９記載の発明は、請求項１記載の効果に加えて、外刃枠の内刃往復動方向の端部上面にエラストマ−からなる肌伸ばし部材を設けたから、エラストマ−からなる肌伸ばし部材によってカセットの端部でのゴツゴツ感を和らげて肌当たりが良いものとなると共に、剃り時に肌に対して横方向に剃った場合においても肌を伸ばして、短く剃り上げることができるものである。
【図面の簡単な説明】
【図１】本発明の実施形態の一例を示すネット刃カセット付近の正面断面図である。
【図２】同上のスリット刃カセット付近の正面断面図である。
【図３】同上の刃ヘッドの側面断面図である。
【図４】同上の刃ヘッドの分解斜視図である。
【図５】同上のスリット刃カセットの分解斜視図である。
【図６】同上のスリット刃カセットと保持部材と外刃フレームとを説明する分解説明図である。
【図７】同上の本体への内刃の取り付け状態を説明する分解斜視図である。
【図８】同上の斜視図である。
【図９】同上のフロート動作時の斜視図である。
【図１０】同上の側面図である。
【図１１】（ａ）（ｂ）（ｃ）は各刃カセットのフロート動作時の側面図である。
【図１２】他の実施形態の斜視図である。
【符号の説明】
１  スリット刃
５，５ａ  二重壁
９  本体
１１  ネット刃
２０  ネット刃カセット
２１  外刃枠
２４，２４ａ  肌伸ばし部材
２５  突起部
２８  連結壁
３１  スリット刃カセット
４８  切り欠き
５０  保持部材
６０  外刃フレーム
８１  孔部
１００  ヒートシール突部
１１０  突出部
Ｍ  内刃往復動方向
【図１】
0003721783.tif 000002
【図２】
0003721783.tif 000003
【図３】
0003721783.tif 000004
【図４】
0003721783.tif 000005
【図５】
0003721783.tif 000006
【図６】
0003721783.tif 000007
【図７】
0003721783.tif 000008
【図８】
0003721783.tif 000009
【図９】
0003721783.tif 000010
【図１０】
0003721783.tif 000011
【図１１】
0003721783.tif 000012
【図１２】
0003721783.tif 000013